(57)【要約】【課題】有効期限が切れたコンテンツ情報の再生を回避する。【解決手段】前記センター装置３０が配信するコンテンツ情報には、有効期限とこのコンテンツ情報が有効期限内でない場合に再生すべきコンテンツ情報を識別するための識別情報とが含まれ、車載器１０の記憶部１ｆにはセンター装置３０から配信されたコンテンツ情報が記憶され、表示部１ｅにおいてコンテンツ情報を再生させる際に、当該コンテンツ情報の有効期限が切れていた場合には、識別情報から再生すべきコンテンツ情報を識別し、表示部１ｅで当該コンテンツ情報を再生する。【選択図】図１１
2010050681.tif 000002
【特許請求の範囲】
【請求項１】
車載器と、前記車載器と無線通信可能に接続された路側無線装置と、前記路側無線装置を介して前記車載器にコンテンツ情報を配信するセンター装置とを有する配信システムであって、
前記センター装置は、前記コンテンツ情報の有効期限と、当該コンテンツ情報が有効期限内でない場合に再生すべきコンテンツ情報を識別するための識別情報とを前記コンテンツ情報に含ませて配信し、
前記車載器は、
前記コンテンツ情報を記憶する記憶手段と、
前記コンテンツ情報を再生する再生手段と、
前記記憶手段に記憶されたコンテンツ情報の再生を前記再生手段に対して指示する指示手段と、
前記指示手段によって再生が指示されたコンテンツ情報に含まれる有効期限に基づいて当該コンテンツ情報が有効期限内であるか否かを判断する判断手段と、
前記判断手段によって前記コンテンツ情報が有効期限内であると判断された場合、当該コンテンツ情報を前記再生手段に再生させるよう制御し、前記判断手段によって前記コンテンツ情報が有効期限内でないと判断された場合、当該コンテンツ情報に含まれる識別情報に基づいて再生すべきコンテンツ情報を決定し、当該決定されたコンテンツ情報を前記再生手段に再生させるよう制御する制御手段と、
を備えることを特徴とする配信システム。
【請求項２】
コンテンツ情報の有効期限と、当該コンテンツ情報が有効期限内でない場合に再生すべきコンテンツ情報を識別するための識別情報とを前記コンテンツ情報に含ませて配信するセンター装置と通信を行う通信手段と、
前記コンテンツ情報を記憶する記憶手段と、
前記コンテンツ情報を再生する再生手段と、
前記記憶手段に記憶されたコンテンツ情報の再生を前記再生手段に対して指示する指示手段と、
前記指示手段によって再生が指示されたコンテンツ情報に含まれる有効期限に基づいて当該コンテンツ情報が有効期限内であるか否かを判断する判断手段と、
前記判断手段によって前記コンテンツ情報が有効期限内であると判断された場合、当該コンテンツ情報を前記再生手段に再生させるよう制御し、前記判断手段によって前記コンテンツ情報が有効期限内でないと判断された場合、当該コンテンツ情報に含まれる識別情報に基づいて再生すべきコンテンツ情報を決定し、当該決定されたコンテンツ情報を前記再生手段に再生させるよう制御する制御手段と、
を備えることを特徴とする車載器。
【請求項３】
前記識別情報は、前記コンテンツ情報に一意に割り当てられた情報コードであって、当該情報コードは前記コンテンツ情報の有効期限と同じデータ領域に含まれることを特徴とする請求項２に記載の車載器。
【請求項４】
前記識別情報は、前記コンテンツ情報に一意に割り当てられた情報コードに含まれる枝番であることを特徴とする請求項２に記載の車載器。
【請求項５】
前記識別情報は、前記コンテンツ情報に一意に割り当てられた情報コードであって、当該情報コードは前記コンテンツ情報に割り当てられた汎用的なデータ領域である詳細情報に含まれることを特徴とする請求項２に記載の車載器。
【発明の詳細な説明】
【技術分野】
【０００１】
本発明は、配信システム、及び車載器に関する。
【背景技術】
【０００２】
従来、ＤＳＲＣ（Dedicated Short Range Communication）等を利用して路上に設置された路側無線装置と狭域無線通信を行い、センター装置から情報を車載器で受信するシステムが知られている。このシステムは、車両が路側無線装置の通信範囲内にある間のみ、車両の車載器と路側無線装置との双方向通信が可能となり、この間にセンター装置が路側無線装置を介して、地域情報（例えば周辺の店舗や医療機関の情報）や広告情報等の各種コンテンツ情報を配信するものである。
【０００３】
また、車載器は、路側無線装置から配信された各種コンテンツ情報を記憶することにより、路側無線装置と通信できず受信時にコンテンツ情報の再生ができない環境においても当該各種コンテンツ情報を再生することが可能になっている（特許文献１参照）。
【特許文献１】特開２００７−１０９０３２号公報
【発明の開示】
【発明が解決しようとする課題】
【０００４】
ところで、車載器に対して配信されるコンテンツ情報に有効期限を設定することが検討されている。この有効期限は、サービス事業者が自由に設定でき、例えば、短期間限定のクーポンであれば、有効期限が２〜３日の場合もあり、長期間にわたるセール等であれば１週間や１ヶ月のように設定することができる。
【０００５】
車載器に対して配信されるコンテンツ情報、例えば、クーポンの有効期限が切れていた場合には、このクーポンを有効活用できない場合がある。有効期限が切れたコンテンツ情報は、様々な取り扱いが検討されている。
例えば、有効期限が切れていても車載器で表示できたり、有効期限が切れたコンテンツ情報を自動的に車載器側で削除したりすることが検討されている。
【０００６】
コンテンツ情報を受信するためには、コンテンツ情報が配信されるエリアに出向く必要があるが、車載器のユーザが定期的に当該エリアに出向くとは限らない。つまり、一定期間当該エリアに出向かない場合には、有効期限の切れたコンテンツ情報が車載器に数多く蓄積される可能性がある。
このような問題を解決するためには、コンテンツ情報の有効期限を長期間に設定することも考えられる。しかし、配信する全てのコンテンツ情報が必ずしも長期間有効であることが望ましいわけではなく、期間を限定して配信したいコンテンツ情報についてはこの問題は解決しない。
【０００７】
本発明は、上述したような課題に鑑みてなされたものであり、その目的とするところは、有効期限が切れたコンテンツ情報の再生を回避することである。
【課題を解決するための手段】
【０００８】
上記課題を解決するために、請求項１に記載の発明は、
車載器と、前記車載器と無線通信可能に接続された路側無線装置と、前記路側無線装置を介して前記車載器にコンテンツ情報を配信するセンター装置とを有する配信システムであって、
前記センター装置は、前記コンテンツ情報の有効期限と、当該コンテンツ情報が有効期限内でない場合に再生すべきコンテンツ情報を識別するための識別情報とを前記コンテンツ情報に含ませて配信し、
前記車載器は、
前記コンテンツ情報を記憶する記憶手段と、
前記コンテンツ情報を再生する再生手段と、
前記記憶手段に記憶されたコンテンツ情報の再生を前記再生手段に対して指示する指示手段と、
前記指示手段によって再生が指示されたコンテンツ情報に含まれる有効期限に基づいて当該コンテンツ情報が有効期限内であるか否かを判断する判断手段と、
前記判断手段によって前記コンテンツ情報が有効期限内であると判断された場合、当該コンテンツ情報を前記再生手段に再生させるよう制御し、前記判断手段によって前記コンテンツ情報が有効期限内でないと判断された場合、当該コンテンツ情報に含まれる識別情報に基づいて再生すべきコンテンツ情報を決定し、当該決定されたコンテンツ情報を前記再生手段に再生させるよう制御する制御手段と、
を備えることを特徴とする。
【０００９】
請求項２に記載の発明は、
コンテンツ情報の有効期限と、当該コンテンツ情報が有効期限内でない場合に再生すべきコンテンツ情報を識別するための識別情報とを前記コンテンツ情報に含ませて配信するセンター装置と通信を行う通信手段と、
前記コンテンツ情報を記憶する記憶手段と、
前記コンテンツ情報を再生する再生手段と、
前記記憶手段に記憶されたコンテンツ情報の再生を前記再生手段に対して指示する指示手段と、
前記指示手段によって再生が指示されたコンテンツ情報に含まれる有効期限に基づいて当該コンテンツ情報が有効期限内であるか否かを判断する判断手段と、
前記判断手段によって前記コンテンツ情報が有効期限内であると判断された場合、当該コンテンツ情報を前記再生手段に再生させるよう制御し、前記判断手段によって前記コンテンツ情報が有効期限内でないと判断された場合、当該コンテンツ情報に含まれる識別情報に基づいて再生すべきコンテンツ情報を決定し、当該決定されたコンテンツ情報を前記再生手段に再生させるよう制御する制御手段と、
を備えることを特徴とする。
【００１０】
請求項３に記載の発明は、請求項２に記載の発明において、
前記識別情報は、前記コンテンツ情報に一意に割り当てられた情報コードであって、当該情報コードは前記コンテンツ情報の有効期限と同じデータ領域に含まれることを特徴とする。
【００１１】
請求項４に記載の発明は、請求項２に記載の発明において、
前記識別情報は、前記コンテンツ情報に一意に割り当てられた情報コードに含まれる枝番であることを特徴とする。
【００１２】
請求項５に記載の発明は、請求項２に記載の発明において、
前記識別情報は、前記コンテンツ情報に一意に割り当てられた情報コードであって、当該情報コードは前記コンテンツ情報に割り当てられた汎用的なデータ領域である詳細情報に含まれることを特徴とする。
【発明の効果】
【００１３】
本発明によれば、有効期限が切れたコンテンツ情報の再生を回避することができる。  
【発明を実施するための最良の形態】
【００１４】
（第１の実施の形態）
まず、構成を説明する。
図１に、本実施形態における配信システム１００を示す。
配信システム１００は、図１に示すように、車両Ｃに搭載された車載器１０、路側無線装置２０、センター装置３０を含んで構成される。
センター装置３０は路側無線装置２０を介して車載器１０にコンテンツ情報を配信する。
路側無線装置２０は路上や駐車場等に複数設置され、各路側無線装置２０はネットワークＮを介してセンター装置３０と接続されている。路側無線装置２０と、車両Ｃの車載器１０とは無線通信が可能である。
【００１５】
コンテンツ情報とは、データ形式等の詳細は後述するが、店舗の広告や駐車場、医療施設の案内等のコンテンツ（テキスト情報、画像情報、音声情報等）の他、コンテンツ情報を提供する事業者に関する情報、コンテンツ情報の有効期限の情報（例えば、有効期限の開始と終了の日時）、サービスを提供可能な対象地点の情報（例えば、広告している店舗の地点を示す緯度経度や店舗名等）が含まれる。例えば、位置情報を含むコンテンツ情報であれば緯度経度情報も格納されているが、コンテンツ情報に位置情報が含まれなければ緯度経度情報は必要がなく、当該位置情報を示すデータ領域には情報は格納されない。
コンテンツ情報の他の例として、当該コンテンツ情報の通知を行うためのポップアップ画面を表示させるべき再生地点（例えば、ポップアップ画面を表示させる地点を示す緯度経度、ポップアップ画面を表示させる道路種別や車両の進入方向を指定する情報等）、コンテンツ情報の表示画面の遷移情報（次に表示する画面を指定する情報等）等を含む情報が格納されていてもよい。
【００１６】
以下、各構成装置について詳細に説明する。
路側無線装置２０は、図２に示すように本体装置２０ａとアンテナ２０ｂとから構成されている。路側無線装置２０は、道路脇や道路上方に設置されたアンテナ２０ｂから、到達距離が限定されたＤＳＲＣの電波を放射する。この電波放射範囲を以下、路側エリアＺという。この路側エリアＺ内にある車両Ｃの車載器１０とだけ双方向狭域無線通信が可能となる。以下、路側無線装置２０と車載器１０間の狭域無線通信を路車間通信という場合がある。
【００１７】
ＤＳＲＣは５．８GHz帯域の電波を使った通信方式であり、その通信範囲は例えば直径数メートル〜数十メートルである。各路側無線装置２０からのＤＳＲＣの送信出力は何れも同じ程度に設定されているので、各路側無線装置２０の路側エリアＺは設置場所に関係なく、ほぼ一定である。
【００１８】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａとしては、情報処理や通信制御を行う制御部、記憶部等を備えたコンピュータ端末を適用することができる。
【００１９】
車載器１０は、車両Ｃに搭載され、案内経路への誘導のための処理等を行うナビゲーション機能の他、ＤＳＲＣによるＥＴＣ（Electronic Toll Collection System）利用のための処理を行う機能等を有している。
車載器１０は、図３に示すように、カーナビゲーション部（以下、カーナビ部）１、通信モジュール２、ＤＳＲＣ部３、制御部４を備えて構成されている。
【００２０】
制御部４は、ＣＰＵ（Central Processing Unit）、ＲＡＭ（Random Access Memory）等から構成され、記憶部１ｆに記憶された制御プログラムとの協働により各種演算を行う他、各部の集中制御を行う。
例えば、制御部４は、路側無線装置２０との路車間通信を行う際にはＤＳＲＣ部３の通信動作を制御する。なお、制御部４は、ＤＳＲＣ部３の制御にあたってはＤＳＲＣ部３のＤＳＲＣ制御部３ａとの協働により制御を行う。また、制御部４は、ＤＳＲＣ部３を介してセンター装置３０から受信したコンテンツ情報の保存、又は当該コンテンツ情報の再生制御を行う再生手段として機能する。
なお、本実施の形態におけるコンテンツ情報の再生とは、車載器１０の表示部１ｅにコンテンツ情報を表示させたり、コンテンツ情報に音声データ等が含まれる場合には、当該音声データを再生させ、コンテンツ情報に含まれる情報を車載器１０のユーザに対して伝達することをいう。
【００２１】
カーナビ部１は、カーナビ制御部１ａ、現在地検出部１ｂ、地図記憶部１ｃ、入力部１ｄ、表示部１ｅ、記憶部１ｆ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、カーナビ制御部１ａは、地図記憶部１ｃに記憶されている地図情報を用いて算出した案内経路へ誘導するための地図画面を生成し、表示部１ｅにより表示させる。
【００２２】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２３】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２４】
入力部１ｄは、操作パネルと表示部１ｅとが一体化されたタッチパネル方式の操作入力装置である。入力部１ｄは、これらの操作に対応する操作信号を生成し、制御部４に出力する。
表示部１ｅは、制御部４の制御に従ってモニタ画面上に各種情報を表示する。各種情報とは、例えば、設定画面や地図画面、センター装置３０から受信したコンテンツ情報の表示画面等である。
【００２５】
記憶部１ｆは、半導体メモリ等の記憶手段として機能し、制御部４やカーナビ制御部１ａにより実行される制御プログラム、プログラムの実行に必要なパラメータやデータ等を記憶している。
また、記憶部１ｆは、センター装置３０に提供するアップリンク情報ｍ１を記憶するとともに、センター装置３０から受信したコンテンツ情報を記憶する。正規の配信事業者が複数ある場合には、アップリンク情報ｍ１は各配信事業者に応じた内容で制御部４によりそれぞれ生成され、記憶部１ｆに記憶される。ここで、正規の配信事業者とは、ユーザがコンテンツ情報の配信について契約をした配信事業者をいう。
アップリンク情報ｍ１は最新の内容となるように制御部４が常に更新を行って記憶部１ｆに保存させる。なお、アップリンク情報ｍ１の詳細については後述する。
【００２６】
通信モジュール２は、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部４に出力する。通信センターとしてはＶＩＣＳセンター等を挙げることができるが、これに限らない。また、通信センターから受信する情報としては、渋滞情報や道路交通情報に限らない。
なお、通信モジュール２として他にもＷｉＭａｘ（Worldwide Interoperability for Microwave Access）等のＤＳＲＣ以外の通信手段を使用することにより、インターネット等の情報を入手することもできる。
【００２７】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００２８】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書込処理を行わせる。
また、センター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００２９】
通信部３ｂは、例えば車両Ｃのダッシュボード上でフロントガラス近傍等の位置に固設されたアンテナを備え、このアンテナを介して路側無線装置２０やＥＴＣ基地局等と、ＤＳＲＣの電波の送受信を行う。
【００３０】
記憶部３ｃは、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に対してユーザが欲する情報を提供するためのアップリンク情報ｍ１（特に図示せず）専用に設けられた記憶領域であり、アップリンク情報ｍ１の他、車載器１０の特性情報が記憶される。
【００３１】
アップリンク情報ｍ１とは、センター装置３０においてどのような内容のコンテンツ情報を配信するかを決定する際に用いられる情報である。アップリンク情報ｍ１は、サービス事業者ごとに作成され、車両Ｃが立寄った地点や、車載器１０のユーザの嗜好情報、次回来店時の特典等を個別に配信するなどの多目的な情報を扱うための会員情報等が含まれる。サービス事業者は、これらの情報をもとに車載器１０に配信するコンテンツ情報を決定することとなる。
【００３２】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００３３】
次に、センター装置３０について説明する。
図４に、センター装置３０の構成例を示す。センター装置３０は、コンテンツ情報を記憶し、これを車載器１０に配信する。図４に示すように、センター装置３０は、制御部３１、入力部３２、表示部３３、記憶部３４、通信部３５を備えて構成されている。
【００３４】
制御部３１は、ＣＰＵ、ＲＡＭ等から構成され、記憶部３４に記憶された制御プログラムとの協働により各種演算を行う他、各部の集中制御を行う。
例えば、制御部３１は、路側無線装置２０から車載器１０と通信が確立したことが通知されると、記憶部３４からコンテンツ情報を読み出して、通信部３５を介して路側無線装置２０に送信する。
また、制御部３１は、Ｗｅｂサーバとしての機能を有し、通信部３５により路側無線装置２０を介して車載器１０から指定されたＵＲＬ（Uniform Resource Locator）に格納された情報の取得要求が受信されると、車載器１０により指定されたＵＲＬに対応する領域に格納されたコンテンツ情報を読み出し、通信部３５により路側無線装置２０を介して車載器１０に送信する等、車載器１０からの要求に応じた処理を実行する。また、制御部３１は、通信部３５により外部ネットワークを介して車載器１０から指定されたＵＲＬに格納された情報の取得要求が受信されると、車載器１０により指定されたＵＲＬに対応する領域に格納されたコンテンツ情報を読み出し、通信部３５により外部ネットワークを介して車載器１０に送信する等、車載器１０からの要求に応じた処理を実行する。
【００３５】
制御部３１は、路側無線装置２０を介して車載器１０にコンテンツ情報を送信する際には、路側無線装置２０の配置されているエリアに応じた情報を抽出して配信する。また、制御部３１は、各車載器１０のユーザが嗜好するカテゴリの情報（嗜好データ）を予め取得しておき、情報の送信先となる車載器１０の嗜好データに応じた情報を抽出して配信するようにすることが好ましい。
【００３６】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００３７】
記憶部３４は、ＨＤＤ等により構成される。記憶部３４は、制御部３１により実行されるプログラムの他、プログラムの実行に必要な各種データを記憶する。
ユーザはコンテンツ情報の配信サービスに加入する契約を行う際、会員登録を行う。そのため、記憶部３４はこの会員登録されたユーザの氏名、住所等の特定情報を記憶する他、ユーザが所有する車載器１０の車載器ＩＤ、ユーザの嗜好データ等の情報をユーザ毎にデータベース化して記憶する。
また、記憶部３４は、コンテンツ情報（後述する図６に詳述）を記憶する。
通信部３５は、センター装置３０が接続された路側無線装置２０とデータ送受信を行うための通信制御を行う。
【００３８】
なお、図４では１台のセンター装置３０のみ示したが、コンテンツ情報を配信する配信事業者は複数あり、センター装置３０は配信事業者毎に備えられるものである。また、図１ではセンター装置３０がネットワークＮを介して路側無線装置２０と接続されている例を示したが、センター装置３０の一部の機能を路側無線装置２０が所有していてもよい。この場合、複数の路側無線装置２０が保持するセンター装置３０の機能を管理するサーバとしてのセンター装置３０が存在し、当該サーバとしての役割を果たすセンター装置３０がネットワークＮを介して路側無線装置２０と接続されていてもよい。
【００３９】
以下、図５及び図６を用いて、コンテンツ情報の詳細について説明する。
図５に、センター装置３０から配信されるコンテンツ情報のデータ構造の一例を示す。図５に示すように、センター装置３０からは一時に複数の情報グループが配信され、車載器１０では複数の情報グループを受信して、再生又は記憶部１ｆに蓄積することとなる。
ここで、図５における情報グループ１、２、・・ｎのそれぞれが１つのコンテンツ情報であり、車載器１０においてはコンテンツ情報を単位として再生処理が行われる。
【００４０】
図５に示すように、１つのコンテンツ情報は、内容により分類された複数の要素で構成される。各構成要素はＩＤ番号（００、０１、・・等）と当該ＩＤ番号に対応して格納される実データからなる。図５において、情報グループ１を構成するコンテンツ情報には、ＩＤ００（ＩＤ番号が「００」であることを示す、以下同じ）、ＩＤ０１、ＩＤ０２、ＩＤ０３、ＩＤ０４、ＩＤ０５、ＩＤ１０、ＩＤ３０で規定される情報が含まれていることを示している。
【００４１】
図６に、コンテンツ情報のフォーマットの一例を示す。
図６に示すように、コンテンツ情報には、個々にＩＤが付された情報、例えば構成ＩＤ情報、サービス事業者情報、情報提供企業情報、再生条件、有効期限、遷移情報、詳細情報等が含まれている。
【００４２】
ＩＤ００の構成ＩＤ情報は、コンテンツ情報に含まれる各情報の識別番号の一覧を示す情報である。この構成ＩＤ情報中の各情報の識別番号の有無を確認することにより、当該各情報が存在するか否かを即時に判断することが出来る。
【００４３】
識別番号は、コンテンツ情報に含まれる各情報の分類を示す。
また、識別番号は、ＩＤ００〜ＩＤ２５５まで割り振られており、例えばＩＤ０１はサービス事業者情報、ＩＤ４０は詳細情報であることを示す。
なお、コンテンツ情報に含まれる各ＩＤに対応する情報にはヘッダ情報（図示せず）が含まれており、各ＩＤに含まれている情報量を示す情報バイト等、各ＩＤに対応する内容を示す情報やフラグ等がヘッダ情報として格納されている。
以下、識別番号に対応する各情報について説明する。
【００４４】
ＩＤ０１のサービス事業者情報は、サービス事業者を特定するための情報であり、例えばサービス事業者に一意に付与されたサービス事業者コード、表示部１ｅにサービス事業者を表示させる際に使用されるサービス事業者表示テキスト、音声によってサービス事業者を伝達するために使用されるサービス事業者表音文字列等である。
【００４５】
ＩＤ０２の情報提供企業情報は、コンテンツ情報に関する詳細な情報であり、例えば当該コンテンツ情報の情報提供元を特定することのできる企業コード、当該企業を表示部１ｅに表示させる際に使用される企業表示テキスト、音声によって企業を伝達するために使用される企業表音文字列、サービス事業者がコンテンツ情報に対し個別に割り付けた情報コード、コンテンツ情報の内容を示すための情報表示用テキスト、コンテンツ情報の内容を音声によって伝達するための情報表音文字列、コンテンツ情報が属する嗜好データカテゴリー等である。情報コードは、コンテンツ情報に割り当てられたコードであり、コンテンツ情報を識別することができる。
【００４６】
ＩＤ０３の再生条件は、車載器１０が受信したコンテンツ情報の再生を即時に行うか記憶部１ｆに蓄積（記憶）するかを示す即時／蓄積コード、路側エリアＺでのコンテンツ情報の再生条件を示す再生条件コード等である。
【００４７】
ＩＤ０４の有効期限は、コンテンツ情報の有効期限を示し、当該コンテンツ情報の有効期限の開始時刻を示す開始年月日時分秒、当該コンテンツ情報の有効期限の終了時刻を示す終了年月日時分秒等である。
また、ＩＤ０４の有効期限は、コンテンツ情報の有効期限が切れている場合に、後述する有効期限判別処理によって表示部１ｅに表示させる（つまり再生させる）べきコンテンツ情報の情報コードである有効期限後の次再生情報コードを含む。なお、有効期限後の次再生情報コードは第１の実施の形態における識別情報である。
図７（ａ）に、有効期限後の次再生情報コードを含まない場合のＩＤ０４のデータ構成を示し、図７（ｂ）に、有効期限後の次再生情報コードを含む場合のＩＤ０４のデータ構成を示す。図７（ａ）に示すように、有効期限の指定を行わないコンテンツ情報の場合や、有効期限が切れた場合に表示させるコンテンツ情報を指定しない場合には、この有効期限後の次再生情報コードをＩＤ０４に含ませなくてもよい。
【００４８】
図８（ａ）に、コンテンツ情報のＩＤ０４の有効期限を説明する説明図を示す。
センター装置３０がコンテンツ情報を配信する際には、必要に応じて関連のあるコンテンツ情報同士を同時に配信することがある。例えば、期間限定のクーポンを含むコンテンツ情報と同時に、この期間の直後に行われるイベントのクーポンを含むコンテンツ情報を配信する等である。以下の説明では、同時に配信されるコンテンツ情報のうち、片方をコンテンツ情報Ａといい、他方をコンテンツ情報Ｂという。なお、上記のように関連するコンテンツ情報は２つ以上であってよく、これに限られない。
【００４９】
図８（ｂ）に、図８（ａ）のような有効期限をとる場合のコンテンツ情報のＩＤ０２のサービス事業者コード、企業コード、及び情報コードと、ＩＤ０４の有効期限のデータ格納例を示す。
図８に示すように、コンテンツ情報Ａの有効期限は２００８年１月１日〜２００８年１月７日までであるので、コンテンツ情報ＡのＩＤ０４の開始日時年月日時分秒には「２００８年１月１日０時０分０秒」を示す値が格納され、ＩＤ０４の終了日時年月日時分秒には「２００８年１月７日２３時５９分５９秒」を示す値が格納される。
コンテンツ情報Ｂの有効期限を２００８年１月８日〜２００８年１月１４日までとする。コンテンツ情報ＢのＩＤ０４に格納される値は同様に上記期間を示す情報であるので説明を省略する。
図８（ｂ）に示すように、コンテンツ情報Ａとコンテンツ情報Ｂは互いに関連する情報であって同一のサービス事業者から配信される場合、ＩＤ０１のサービス事業者コード及びＩＤ０２の企業コードは同一であり、ＩＤ０２の情報コードは互いに異なる値となる。
【００５０】
ＩＤ３０の遷移情報は、コンテンツ情報を表示部１ｅに表示させた際に、当該コンテンツ情報から画面遷移して表示すべきコンテンツ情報の情報コードである次再生情報コード等である。
【００５１】
図９を用いて、ＩＤ３０の遷移情報について説明する。図９に示す各画面Ｃ１、Ｃ２、Ｄ１〜Ｄ６において、Ｃ１及びＣ２は車載器１０の記憶部１ｆ等で保持している画面であり、Ｄ１〜Ｄ６は、配信されたコンテンツ情報に基づいて車載器１０において表示される画面遷移例である。ここでは、１つのコンテンツ情報は１つの画面に対応する。画面Ｄ１〜Ｄ６は、コンテンツのＩＤ３０の次再生情報コードが参照されることにより画面遷移する。
画面Ｃ１は、メニュー画面であり遷移先が３つある。画面Ｃ１において「entertainment」が選択される（入力部１ｄからの入力により選択することをいう。以下同じ。）と、サービス事業者（配信事業者）の一覧を示す画面Ｃ２に遷移する。画面Ｃ２には遷移先が４つある。画面Ｃ２において１つの配信事業者が選択されると、選択された配信事業者のコンテンツ情報を示す画面Ｄ１に遷移する。
【００５２】
画面Ｄ１には遷移先が４つある。つまり、画面Ｄ１に対応するコンテンツ情報にはＩＤ３０の次再生情報コードが４つ格納されていることになる。画面Ｄ１において「くらし情報」が選択される（画面Ｄ１の「１」のボタンが選択されることをいう。また、これらの画面遷移のためのボタンを画面遷移ボタンという。）と、「くらし情報」に対応する次再生情報コードが参照され、当該次再生情報コードとＩＤ０２の情報コードが一致するコンテンツ情報である画面Ｄ２に遷移する。以下の画面遷移においても同様に、ＩＤ３０の次再生情報コードと一致するＩＤ０２の情報コードをもつコンテンツ情報が表示されるよう、処理が行われることになる。このように、画面遷移ボタンを選択することにより、入力部１ｄは再生すべきコンテンツ情報を指示する指示手段として機能する。
画面Ｄ２には遷移先が３つある。画面Ｄ２において「医療・病院」が選択されると、医療・病院の一覧を示す画面Ｄ３に遷移する。画面Ｄ３には遷移先が２つある。画面Ｄ３において「休日診療病院一覧」が選択されると、休日診療病院の一覧を示す画面Ｄ４に遷移する。画面Ｄ４には遷移先が７つある。画面Ｄ４において「小児科」が選択されると、小児科の病院一覧を示す画面Ｄ５に遷移する。画面Ｄ５には遷移先が４つある。画面Ｄ５において１つの小児科病院が選択されると、選択された小児科病院の情報を示す画面Ｄ６に遷移する。画面Ｄ６には遷移先がない（つまりＩＤ３０の次再生情報コードにはデータがない）ことになる。
図６では特に図示はしなかったが、ＩＤ１０として対象地点情報があり、Ｄ６に対応するコンテンツ情報には、表示しているコンテンツ情報に対応する対象地点の情報（例えば緯度や経度など）が格納されており、画面Ｄ６からの操作により、「○○クリニック」を案内するように指示をすることができる。
【００５３】
ＩＤ４０の詳細情報は、当該コンテンツ情報に関する詳細な情報が格納され、汎用的な利用をすることができる。
コピーコントロールフラグは、車載器１０がコンテンツ情報を受信した際に詳細情報データをアップリンク情報ｍ１の会員情報に書き込むか否かを示すフラグである。コピーコントロールフラグがオン（値が「１」の場合）の場合には、ＩＤ４０の詳細情報データをアップリンク情報ｍ１の会員情報に書き込み、コピーコントロールフラグがオフ（値が「０」の場合）の場合には、ＩＤ４０の詳細情報データをアップリンク情報ｍ１の会員情報に書き込まないよう制御されることになる。
【００５４】
情報内容フラグは、詳細情報データの内容の種別を示すための識別情報である。本実施の形態においては、情報内容フラグが「０」の場合は詳細情報データに情報コードが格納されていることを示すものとする。情報内容フラグは、詳細情報データの内容と対応付けられた値が格納されればよく、これに限られない。
【００５５】
詳細情報データは、情報コードやコンテンツ情報の内容を示すテキスト情報等が格納される。
表示用文字データは、サービス対象地点や画面遷移の案内を行う情報や、検索のための検索用語等、表示部１ｅに表示させてユーザを補助するための情報である。表音文字列は音声によってユーザに伝達するための情報を格納している。
なお、表示用文字データや表音文字列には、詳細情報データに関連する情報が格納される。
【００５６】
図１０に、各コンテンツ情報のパラメータ設定の一例を示す。「種別」はコンテンツ情報の種別である。「情報コード」はコンテンツ情報のＩＤ０２の情報コードである。「次再生情報コード」はコンテンツ情報のＩＤ３０の次再生情報コードである。「有効期限」の「開始年月日時分秒」、「終了年月日時分秒」、「有効期限後の次再生情報コード」はそれぞれコンテンツ情報のＩＤ０４の有効期限の各情報である。
図１０に示すように、「コンテンツ情報Ｙ」と「コンテンツ情報Ｚ」には、次再生情報コードがないため、この２つのコンテンツ情報を再生させている状態で、次のコンテンツ情報を再生することはできない。「有効期限」には、各コンテンツ情報の有効期限に関する情報が格納される。「有効期限後の次再生情報コード」が参照された場合の車載器１０の動作についての詳細は後述する。
【００５７】
次に、動作について説明する。
図１１に、本実施の形態に係る車載器１０において行われる有効期限判定処理のフローチャートを示す。当該処理は、入力部１ｄからの入力により表示部１ｅに表示されたコンテンツ情報から画面遷移ボタンが選択され、画面遷移の指示が入力された際に、制御部４と記憶部１ｆに記憶されたプログラムとの協働により実行される。当該処理では、画面遷移先のコンテンツ情報の有効期限が切れている場合には、ＩＤ０４を参照することにより、有効期限内のコンテンツ情報を表示部１ｅに表示させる。
なお、以下に説明する処理は、制御部４によって実行され、制御部４は制御手段として機能する。
【００５８】
図１１に示すように、まず入力部１ｄからの入力により選択された画面遷移ボタンに対応する次再生情報コードが取得される（ステップＳ１０１）。具体的には、表示部１ｅに表示されているコンテンツ情報のＩＤ３０から、当該選択された画面遷移ボタンに対応する次再生情報コードが取得されることになる。なお、画面遷移ボタンは図９を参照して説明した、表示部１ｅに表示され、画面遷移のために選択されるボタンである。
次いで、ステップＳ１０１において取得された次再生情報コードが、再生対象情報コードとして制御部４のＲＡＭ等に記憶される（ステップＳ１０２）。この再生対象情報コードを持つコンテンツ情報が検索される（ステップＳ１０３）。具体的には、記憶部１ｆに記憶されたコンテンツ情報のうち、ＩＤ０２の情報コードと再生対象情報コードが一致するコンテンツ情報が検索されることになる。
【００５９】
ステップＳ１０３の検索の結果、再生対象情報コードのコンテンツ情報があるか否かが判断される（ステップＳ１０４）。再生対象情報コードのコンテンツ情報があると判断されない場合（ステップＳ１０４；ＮＯ）、処理は終了する。
再生対象情報コードのコンテンツ情報があると判断された場合（ステップＳ１０４；ＹＥＳ）、再生対象情報コードを持つコンテンツ情報のＩＤ０４が取得される（ステップＳ１０５）。次いで、現在日時が取得され（ステップＳ１０６）、ステップＳ１０５で取得されたＩＤ０４の終了日時が有効期限内であるか否かが判断される（ステップＳ１０７）。ステップＳ１０７における処理によって、制御部４は判断手段として機能する。
【００６０】
ＩＤ０４の終了日時が有効期限内であると判断されない場合（ステップＳ１０７；ＮＯ）、再生対象情報コードを持つコンテンツのＩＤ０４内の有効期限後の次再生情報コードが取得される（ステップＳ１０８）。ステップＳ１０８において取得された有効期限後の次再生情報コードが無効値であるか否かが判断される（ステップＳ１０９）。ステップＳ１０９において判断される無効値は、予め記憶部１ｆに定められた値と一致するか否かによって判断されればよく、例えば、有効期限後の次再生情報コードが「０ｘＦＦＦＦＦＦＦＦＦＦ」であるか否か等によって判断される。
【００６１】
有効期限後の次再生情報コードが無効値であると判断されない場合（ステップＳ１０９；ＮＯ）、有効期限後の次再生情報コードのコンテンツが検索される（ステップＳ１１０）。具体的には、記憶部１ｆに記憶されたコンテンツ情報のうち、ＩＤ０２の情報コードと、ステップＳ１０８において取得された有効期限後の次再生情報コードが一致するコンテンツ情報が検索されることになる。
【００６２】
ステップＳ１１０における検索の結果、有効期限後の次再生情報コードのコンテンツがあるか否かが判断される（ステップＳ１１１）。有効期限後の次再生情報コードのコンテンツがあると判断された場合（ステップＳ１１１；ＹＥＳ）、当該有効期限後の次再生情報コードを制御部４のＲＡＭ等に格納されている再生対象情報コードとして設定され（ステップＳ１１２）、処理はステップＳ１０５に戻る。
【００６３】
一方、ＩＤ０４の終了日時が有効期限内であると判断された場合（ステップＳ１０７；ＹＥＳ）、有効期限後の次再生情報コードが無効値であると判断された場合（ステップＳ１０９；ＹＥＳ）、及び有効期限後の次再生情報コードのコンテンツがあると判断されない場合（ステップＳ１１１；ＮＯ）、制御部４のＲＡＭ等に格納されている再生対象情報コードをもつコンテンツが表示され（ステップＳ１１３）、処理は終了する。
【００６４】
図１２に、有効期限内のコンテンツ情報の画面遷移例を模式的に示す。図１２に示す例では、図１０のデータ格納例の場合の画面遷移を示す。
図１０に示すように、「コンテンツ情報Ｘ」の「次再生情報コード」には、「コンテンツ情報Ｙ」と「コンテンツ情報Ｃ」の情報コードが格納されているので、「コンテンツ情報Ｘ」から「コンテンツ情報Ｙ」と「コンテンツ情報Ａ」に画面遷移ができる。
「コンテンツ情報Ｃ」の「次再生情報コード」には「コンテンツ情報Ｚ」の情報コードが格納されているので、「コンテンツ情報Ｃ」から「コンテンツ情報Ｚ」に画面遷移できる。
「コンテンツ情報Ｄ」の「次再生情報コード」には「コンテンツ情報Ｚ」の情報コードが格納されるので、「コンテンツ情報Ｄ」から「コンテンツ情報Ｚ」に画面遷移できる。
図１１の例では、コンテンツ情報Ｄは有効期限開始日時前であった場合には、コンテンツ情報Ｘの遷移先はコンテンツ情報Ｃであるので、ステップＳ１０７の処理により、コンテンツ情報Ｄを参照することはできない。
【００６５】
図１３に、図１２の画面遷移例の場合にコンテンツ情報Ｃの有効期限が切れた際の画面遷移を示す。図１３に示すように、コンテンツ情報Ｘからコンテンツ情報Ｃに画面遷移せず、コンテンツ情報Ｄに画面遷移するようになる。
コンテンツ情報Ｃの有効期限が切れた場合（例えば、２００８年１月８日になった場合）、図１０に示すようにコンテンツ情報Ｃの「有効期限後の次再生情報コード」に「コンテンツ情報Ｄ」の情報コードが格納されているので、有効期限判定処理のステップＳ１０８において、コンテンツ情報Ｃの有効期限後の次再生情報コードが取得される。この有効期限後の次再生情報コードは無効値ではないので、ステップＳ１０９の判断によってステップＳ１１３に処理が移行し、コンテンツ情報Ｄが表示部１ｅに表示されるので、図１３に示すようにコンテンツ情報Ｘからコンテンツ情報Ｄへ画面遷移する。
【００６６】
以上のように、本実施の形態における配信システム１００によれば、有効期限判別処理によって、コンテンツ情報の有効期限が切れていた場合に、当該コンテンツ情報のＩＤ０４の有効期限後の次再生情報コードを参照することによって、表示部１ｅに表示させるべきコンテンツ情報を特定することができる。したがって、画面遷移先のコンテンツ情報の有効期限が切れていた場合、有効期限内の新しいコンテンツ情報を表示部１ｅに表示させ、ユーザに対して提供することができる。
【００６７】
また、コンテンツ情報のＩＤ０４の有効期限後の次再生情報コードに、表示させるべきコンテンツ情報の情報コードを格納しているので、ＩＤ３０の次再生情報コードに設定されている情報コードを持つコンテンツ情報以外のコンテンツ情報を表示部１ｅに表示させることができる。
【００６８】
また、サービス事業者は、路側無線装置２０を介して配信するコンテンツ情報の有効期限が切れた場合に表示させるべきコンテンツ情報を同時に配信すればよいので、車載器１０のユーザは頻繁に路側エリアＺに出向く必要がなくなる。また、サービス事業者は、頻繁に路側無線装置２０と接続を行わない車載器１０のユーザに対しても最新の情報を提供することができる。
【００６９】
また、コンテンツ情報を配信するセンター装置３０においては、全ての車載器１０に対して同一のデータ形式のコンテンツ情報を配信すればよいため、車載器１０ごとに配信するコンテンツ情報を区別する必要がない。したがって、センター装置３０や路側無線装置２０としては、本発明を適用するにあたって、車載器に応じてコンテンツ情報の配信のための処理を変更したりする必要がない。
【００７０】
また、コンテンツ情報のＩＤ３０の次再生情報コードを書き換えて配信しなおす必要がなく、車載器１０に記憶されたコンテンツ情報の画面遷移の構成を崩すことがなくなる。
【００７１】
また、本実施の形態における有効期限判別処理によれば、有効期限が過ぎているコンテンツ情報を表示部１ｅに表示させようとし、ＩＤ０４の有効期限後の次再生情報コードを持つコンテンツ情報が記憶部１ｆに記憶されていなかった場合には、エラーメッセージ等ではなく、当該有効期限が過ぎているコンテンツ情報を表示するので、コンテンツ情報の有効期限が切れている場合でも車載器１０のユーザに対して何らかの情報を提示することができる。
【００７２】
また、センター装置３０は、同種のコンテンツ情報を複数配信し、個々のコンテンツ情報の有効期限を短期間に設定することができる。つまり、頻繁に路側無線装置２０と接続しない車載器１０のユーザのために、コンテンツ情報の有効期限を長期間に設定する必要性がなくなる。
【００７３】
なお、上述した本実施の形態における記述は、本発明に係る好適な配信システムの一例であり、これに限定されるものではない。
例えば、本実施の形態における有効期限判別処理においては、有効期限内でないと判断されたコンテンツ情報に有効期限後の次再生情報コードが格納されていない場合には、当該コンテンツ情報を再生するようにしたが、有効期限後の次再生情報コードが格納されていない場合には、その旨の通知を表示部１ｅに表示させるようにしてもよい。
【００７４】
また、有効期限判別処理のステップＳ１０７においてＩＤ０４の有効期限が参照されたが、ＩＤ０４にデータがない場合、つまりＩＤ０４が含まれないコンテンツ情報の場合、有効期限が含まれていない旨を表示部１ｅに表示させて通知させ、有効期限判別処理が終了されるようにしてもよい。
【００７５】
また、上記の説明では、本発明に係るプログラムのコンピュータ読み取り可能な媒体としてハードディスクや半導体の不揮発性メモリ等を使用した例を開示したが、この例に限定されない。その他のコンピュータ読み取り可能な媒体として、ＣＤ−ＲＯＭ等の可搬型記録媒体を適用することが可能である。また、本発明に係るプログラムのデータを通信回線を介して提供する媒体として、キャリアウエーブ（搬送波）も適用される。
【００７６】
その他、配信システム１００を構成する各装置の細部構成及び細部動作に関しても、本発明の趣旨を逸脱することのない範囲で適宜変更可能である。
【００７７】
（第２の実施の形態）
次に図１４〜図１６を参照しつつ、本発明に係る配信システム１００の第２の実施の形態について説明する。なお、第２の実施の形態において、センター装置３０や車載器１０の構成は第１の実施の形態と同様であり、以下、第１の実施の形態と異なる点について説明する。第２の実施の形態において第１の実施の形態と異なる主な態様は、図１５に示した有効期限判別処理である。
【００７８】
第２の実施の形態においては、情報コードのコード体系が第１の実施の形態と異なる。
図１４に、第２の実施の形態における情報コードのコード体系を示す。図１４に示すように、情報コードは５バイトの情報で構成される。そのうちの先頭４バイトを「有効情報コード」とし、残りの１バイトを「枝番」とする。この枝番は第２の実施の形態において識別情報として機能する。
「有効情報コード」とは、第２の実施の形態におけるコンテンツ情報に一意に割り当てられたコンテンツ情報を識別するためのコードである。本実施の形態においては、有効期限コードは４バイトの領域が割り当てられており、「０ｘ００００００００」〜「０ｘＦＦＦＦＦＦＦＦ」までの任意の値が割り当てられる。
「枝番」とは、第２の実施の形態における有効期限判定処理において、使用される情報であり、本実施の形態においては「０ｘ００」〜「０ｘＦＦ」までの任意の値が割り当てられる。
なお、本実施の形態における情報コードのコード体系は上記の例に限定されない。情報コードとして定められたデータ領域の一部を有効期限コード、残りのデータ領域を枝番として使用すればよく、例えば枝番として割り当てるデータ領域は４ビット等であってもよい。
【００７９】
図１５に、第２の実施の形態における有効期限判定処理（第１の実施の形態と区別をするために有効期限判定処理Ｂという）のフローチャートを示す。当該処理は、入力部１ｄからの入力により表示部１ｅに表示されたコンテンツ情報から画面遷移ボタンが選択され、画面遷移の指示が入力された際に、制御部４と記憶部１ｆに記憶されたプログラムとの協働により実行される。当該処理では、表示させようとしたコンテンツ情報の有効期限が切れていた時に、情報コードの枝番を参照することによって、表示させるべきコンテンツ情報を特定する。
以下における処理は、制御部４によって行われる。
【００８０】
図１５に示すように、ステップＳ２０１〜ステップＳ２０７における処理は、それぞれステップＳ１０１〜ステップＳ１０７と同様であるので説明を省略する。なお、コンテンツ情報にＩＤ０４が含まれていない場合には、第１の実施の形態と同様、ステップＳ２０７において有効期限の情報が含まれていない旨を表示部１ｅに表示させるようにしてもよい。
ステップＳ２０７において、ＩＤ０４の終了日時が有効期限内であると判断されない場合（ステップＳ２０７；ＮＯ）、再生対象情報コードの枝番に１が加算される（ステップＳ２０８）。次いで、記憶部１ｆに記憶されたコンテンツ情報のうち、ステップＳ２０８において再生対象情報コードの枝番に１が加算された情報コードを持つコンテンツ情報が検索される（ステップＳ２０９）。
【００８１】
ステップＳ２０９において検索がされた結果、記憶部１ｆに記憶されたコンテンツ情報のうち、ステップＳ２０８において再生対象情報コードの枝番に１が加算された情報コードを持つコンテンツ情報があるか否かが判断される（ステップＳ２１０）。コンテンツ情報があると判断された場合（ステップＳ２１０；ＹＥＳ）、ステップＳ２０８において再生対象情報コードの枝番に１を加算した値が再生対象情報コードとして設定され（ステップＳ２１１）、処理はステップＳ２０５に戻る。
【００８２】
一方、ステップＳ２０７において、ＩＤ０４の終了日時が有効期限内であると判断されない場合（ステップＳ２０７；ＮＯ）、コンテンツ情報があると判断されない場合（ステップＳ２１０；ＮＯ）、制御部４のＲＡＭ等に格納されている再生対象情報コードをもつコンテンツが表示され（ステップＳ２１２）、処理は終了する。
【００８３】
図１６に、第２の実施の形態における各コンテンツ情報のパラメータ設定を示す。図１６に示す例では、第１の実施の形態において示した図１２及び図１３の画面遷移をする場合における各コンテンツ情報のパラメータ設定を示している。
「種別」はコンテンツ情報の種別である。「情報コード」はコンテンツ情報のＩＤ０２の情報コードである。「次再生情報コード」はコンテンツ情報のＩＤ３０の次再生情報コードである。「有効期限」の「開始年月日時分秒」、「終了年月日時分秒」はそれぞれコンテンツ情報のＩＤ０４の有効期限の各情報である。
【００８４】
第２の実施の形態においては、サービス事業者コードと企業コードが同一である場合には、情報コードによってコンテンツ情報を識別することは第１の実施の形態と同様である。有効期限が切れていない場合に、画面遷移が行われるコンテンツ情報の情報コードの枝番は「０」に設定されるものとする。つまり、図１６の例では、コンテンツＸからコンテンツ情報Ａとコンテンツ情報Ｙへ画面遷移できるので、コンテンツ情報Ｘの次再生情報コードにはコンテンツ情報Ａとコンテンツ情報Ｙの情報コードが格納されることになるが、コンテンツ情報Ａとコンテンツ情報Ｙの情報コードの枝番を「０」に設定する。
有効期限後に表示させたいコンテンツ情報がある場合には、枝番を「０」、「１」、「２」・・・といったように設定すればよい。つまり、図１３のようにコンテンツ情報Ａの有効期限が切れた場合にはコンテンツ情報Ｂを表示させたいので、図１６に示す例では、コンテンツ情報Ａとコンテンツ情報Ｂの有効情報コードは「０ｘ０２０」であり同一であるが、コンテンツ情報Ａの枝番は「０」であり、コンテンツ情報Ｂの枝番は「１」となっている。
【００８５】
第２の実施の形態における有効期限判別処理を、図１３に示す画面遷移例を基に説明する。図１３に示すように、表示部１ｅにコンテンツ情報Ｘが表示されている状態でコンテンツ情報Ａに画面遷移が指示されたとする。コンテンツ情報Ａの有効期限が切れていた場合には、ステップＳ２０２において、再生対象情報コードにコンテンツ情報Ｘの次再生情報コード（つまりコンテンツ情報Ａの情報コード）が格納されているので、ステップＳ２０８においては、この再生対象情報コードに１が加算される。図１６に示す例では、コンテンツ情報Ａの情報コードは「０ｘ０２００」であるので、ステップＳ２０９において「０ｘ０２０１」を持つコンテンツが検索されることになる。記憶部１ｆには「０ｘ０２０１」を情報コードとして持つコンテンツ情報Ｂがあるので、コンテンツ情報ＢがステップＳ２１２において表示部１ｅに表示されることになる。
なお、コンテンツ情報Ｂの有効期限が切れていた場合には、ステップＳ２０８において、コンテンツ情報Ｂの情報コードの枝番に１を加算した値を求めて同様の処理が行われることになる。図１６に示す例では、コンテンツ情報の情報コードに１を加算した「０ｘ０２０２」を情報コードとして持つコンテンツ情報はないので、表示部１ｅにはコンテンツ情報Ｂが表示されることになる。
【００８６】
以上のように、第２の実施の形態における配信システム１００によれば、コンテンツ情報の情報コードに枝番としてのデータ領域が割り当てられているおり、有効期限判別処理Ｂによって、有効期限が切れたコンテンツ情報を表示部１ｅに表示させようとした場合に、枝番が１加算された情報コードが参照される。したがって、有効期限が切れたコンテンツ情報を表示部１ｅに表示させず、有効期限内のコンテンツ情報を表示部１ｅに表示させることができる。
【００８７】
また、第１の実施の形態においては、コンテンツ情報のＩＤ０４の有効期限に有効期限後の次再生情報コードを格納することにより有効期限判別処理が行われるようにしたが、第２の実施の形態においては、ＩＤ０２の情報コードを利用して有効期限判別処理Ｂを行うことができる。
【００８８】
その他、配信システム１００を構成する各装置の細部構成及び細部動作に関しても、本発明の趣旨を逸脱することのない範囲で適宜変更可能である。
【００８９】
（第３の実施の形態）
次に図１７〜図２０を参照しつつ、本発明に係る配信システム１００の第３の実施の形態について説明する。なお、第３の実施の形態は、センター装置３０や車載器１０の構成は第１の実施の形態と同様であり、第１の実施の形態において図１１に示した有効期限判別処理が第３の実施の形態では異なるものであるため、以下においては、特に第１の実施の形態と異なる点について説明する。
【００９０】
第３の実施の形態における有効期限判定処理（第１の実施の形態と区別をするために有効期限判定処理Ｃという）は、コンテンツ情報のＩＤ４０を参照する点で第１の実施の形態と異なる。
図１７に、ＩＤ４０の詳細情報のデータ形式を詳細に示す。図１７に示すように１つのコンテンツ情報につき、ＩＤ４０の詳細情報を８つまで格納することができる。つまり、ＩＤ４０に対応するデータ領域には、図１７に示す詳細情報１〜８が格納されており、使用しない詳細情報にはデータは格納されない。例えば、ＩＤ４０の詳細情報のうち、詳細情報１〜３のみ使用したい場合には詳細情報４〜８にはデータは格納しないことになる。
第３の実施の形態においては、詳細情報１〜８の詳細情報データに情報コードが格納され、次に説明する有効期限判定処理Ｃにおいて、詳細情報データに格納された情報コードが参照されることになる。
【００９１】
図１８及び図１９に、第３の実施の形態における有効期限判定処理Ｃのフローチャートを示す。当該処理は、入力部１ｄからの入力により表示部１ｅに表示されたコンテンツ情報から画面遷移ボタンが選択され、画面遷移の指示が入力された際に、制御部４と記憶部１ｆに記憶されたプログラムとの協働により実行される。当該処理では、コンテンツ情報のＩＤ４０を参照することによって有効期限が切れていないコンテンツ情報を表示部１ｅに表示させる。
以下に説明する処理は、制御部４によって実行されることになる。
【００９２】
図１８に示すように、ステップＳ３０１〜ステップＳ３０７における処理は、それぞれステップＳ１０１〜ステップＳ１０７と同様であるので説明を省略する。なお、コンテンツ情報にＩＤ０４が含まれていない場合には、第１の実施の形態と同様、ステップＳ３０７において有効期限の情報が含まれていない旨を表示部１ｅに表示させるようにしてもよい。
ステップＳ３０７において、ＩＤ０４の終了日時が有効期限内であると判断されない場合（ステップＳ３０７；ＮＯ）、ステップＳ３０３において検索されたコンテンツ情報にＩＤ４０が格納されているか否かが判断される（ステップＳ３０８）。具体的には、コンテンツ情報のＩＤ００が参照されることによってコンテンツ情報にＩＤ４０が格納されているか否かが判断されることになる。
コンテンツ情報にＩＤ４０が格納されていると判断された場合（ステップＳ３０８；ＹＥＳ）、図１９に移り、再生対象情報コードを持つコンテンツ情報のＩＤ４０が取得される（ステップＳ３０９）。次いで、ＩＤ４０の情報内容フラグが情報コードを示しているか否かが判断される（ステップＳ３１０）。このＩＤ４０の情報内容フラグが示す情報コードは、ステップＳ３０７において有効期限後であると判断された際に、再生すべきコンテンツ情報を識別する情報コードである。
【００９３】
ＩＤ４０の情報内容フラグが情報コードを示していると判断されない場合（ステップＳ３１０；ＮＯ）、次の詳細情報が格納されているか否かが判断される（ステップＳ３１１）。具体的には、詳細情報は最大８つまで格納されるので、ステップＳ３１０において詳細情報１が参照されていた場合、詳細情報２が格納されているか否かが判断されることになる。
次の詳細情報が格納されていると判断された場合（ステップＳ３１１；ＹＥＳ）、当該次の詳細情報へ参照先が設定され（ステップＳ３１２）、処理はステップＳ３１０に戻る。
【００９４】
ＩＤ４０の情報内容フラグが情報コードを示していると判断された場合（ステップＳ３１０；ＹＥＳ）、記憶部１ｆに記憶されたコンテンツ情報のうち、ＩＤ４０の詳細情報データに格納された情報コードを持つコンテンツ情報が検索される（ステップＳ３１３）。
ステップＳ３１３の検索の結果、コンテンツ情報があるか否かが判断される（ステップＳ３１４）。
【００９５】
コンテンツ情報があると判断された場合（ステップＳ３１４；ＹＥＳ）、このＩＤ４０の詳細情報データに格納された情報コードが再生対象情報コードとして設定され（ステップＳ３１５）、処理はステップＳ３０５に戻る。
【００９６】
一方、ＩＤ０４の終了日時が有効期限内であると判断された場合（ステップＳ３０７；ＹＥＳ）、コンテンツ情報にＩＤ４０が格納されていると判断されない場合（ステップＳ３０８；ＮＯ）、次の詳細情報が格納されていると判断されない場合（ステップＳ３１１；ＮＯ）、及びコンテンツ情報があると判断されない場合（ステップＳ３１４；ＮＯ）、制御部４のＲＡＭ等に格納されている再生対象情報コードをもつコンテンツが表示され（ステップＳ３１６）、処理は終了する。
【００９７】
図２０に、第３の実施の形態における各コンテンツ情報のパラメータ設定を示す。図２０に示す例では、第１の実施の形態において示した図１２及び図１３の画面遷移をする場合における各コンテンツ情報のパラメータ設定を示している。
「種別」はコンテンツ情報の種別である。「情報コード」はコンテンツ情報のＩＤ０２の情報コードである。「次再生情報コード」はコンテンツ情報のＩＤ３０の次再生情報コードである。「有効期限」の「開始年月日時分秒」、「終了年月日時分秒」は、それぞれのコンテンツ情報のＩＤ０４の有効期限の各情報である。「詳細情報」は、それぞれのコンテンツ情報のＩＤ４０の詳細情報の各情報である。
【００９８】
図２０に示すように、コンテンツ情報Ｘからコンテンツ情報Ａに画面遷移が指示され、コンテンツ情報Ａの有効期限が切れていた場合には、ステップＳ３０２において、再生対象情報コードにコンテンツ情報Ｘの次再生情報コード（つまりコンテンツ情報Ａの情報コード）が格納されているので、ステップＳ３０８においては、コンテンツ情報ＡにＩＤ４０が格納されているか否かが判断されることになる。
コンテンツ情報Ａは、図２０に示すように、ＩＤ４０の情報内容フラグが「０」であるので、ステップＳ３１０において情報内容フラグが情報コードであると判断され、詳細情報データに格納されている情報コード「０ｘ０３」を持つコンテンツ情報が検索され、コンテンツ情報Ｂ（情報コードが「０ｘ０３」である）が表示部１ｅに表示されることになる。
【００９９】
以上のように、第３の実施の形態における配信システム１００によれば、ＩＤ４０の詳細情報に、当該コンテンツの有効期限が切れた場合に表示部１ｅに表示させるべき情報コードを格納する。したがって、有効期限判別処理Ｃによって、コンテンツ情報のＩＤ４０を参照することによって、有効期限が切れていた場合において表示部１ｅに表示させるべきコンテンツ情報をＩＤ４０を参照することによって特定し、表示部１ｅに表示させることができる。
【０１００】
その他、配信システム１００を構成する各装置の細部構成及び細部動作に関しても、本発明の趣旨を逸脱することのない範囲で適宜変更可能である。
【図面の簡単な説明】
【０１０１】
【図１】本実施形態における配信システムを示す図である。
【図２】図１の路側無線装置の路側エリアを説明する図である。
【図３】図１の車載器の機能的構成を示す図である。
【図４】図１のセンター装置の機能的構成を示す図である。
【図５】コンテンツ情報のデータ構造の一例を示す図である。
【図６】コンテンツ情報のデータ形式の一例を示す図である。
【図７】有効期限のデータ形式を示す図であり、（ａ）は有効期限後の次再生情報コードが格納されない場合であり、（ｂ）は有効期限後の次再生情報コードが格納される場合である。
【図８】コンテンツ情報の有効期限を説明するための図であり、（ａ）は関連するコンテンツ情報の有効期限を示し、（ｂ）はコンテンツ情報のデータ格納例を示す。
【図９】図３の車載器の表示部に表示される表示画面例を示す図である。
【図１０】第１の実施の形態において図１２及び図１３の画面遷移をするためのコンテンツ情報のデータ格納例を示す図である。
【図１１】車載器で実行される有効期限判別処理のフローチャートを示す図である。
【図１２】図３の車載器の表示部に表示される表示画面の画面遷移の例を示す図である。
【図１３】有効期限判別処理が行われた場合における画面遷移例を示す図である。
【図１４】第２の実施の形態における情報コードのデータ形式を説明するための図である。
【図１５】第２の実施の形態において車載器で実行される有効期限判別処理のフローチャートを示す図である。
【図１６】第２の実施の形態において図１２及び図１３の画面遷移をするためのコンテンツ情報のデータ格納例を示す図である。
【図１７】コンテンツ情報の詳細情報のデータ形式を説明する図である。
【図１８】第３の実施の形態において車載器で実行される有効期限判別処理のフローチャートを示す図である。
【図１９】第３の実施の形態において車載器で実行される有効期限判別処理のフローチャートを示す図である。
【図２０】第３の実施の形態において図１２及び図１３の画面遷移をするためのコンテンツ情報のデータ格納例を示す図である。
【符号の説明】
【０１０２】
１００  配信システム
１０  車載器
１  カーナビ部
１ｄ  入力部
１ｅ  表示部
１ｆ  記憶部
３  ＤＳＲＣ部
Ｍ  アップリンク情報記憶領域
４  制御部
２０  路側無線装置
３０  センター装置
３１  制御部
３２  入力部
３３  表示部
３４  記憶部
３５  通信部
【図１】
2010050681.tif 000003
【図２】
2010050681.tif 000004
【図３】
2010050681.tif 000005
【図４】
2010050681.tif 000006
【図５】
2010050681.tif 000007
【図６】
2010050681.tif 000008
【図７】
2010050681.tif 000009
【図８】
2010050681.tif 000010
【図９】
2010050681.tif 000011
【図１０】
2010050681.tif 000012
【図１１】
2010050681.tif 000013
【図１２】
2010050681.tif 000014
【図１３】
2010050681.tif 000015
【図１４】
2010050681.tif 000016
【図１５】
2010050681.tif 000017
【図１６】
2010050681.tif 000018
【図１７】
2010050681.tif 000019
【図１８】
2010050681.tif 000020
【図１９】
2010050681.tif 000021
【図２０】
2010050681.tif 000022